【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
双方向メディアガイダンスアプリケーションにおいて、関連性に基づいて検索結果を限定するための方法であって、
検索基準に一致する項目を求めて、メディアガイダンスアプリケーションデータのデータベースを検索することと、
前記検索基準に一致する項目が、関連性閾値を満たすか否かを決定することと、
前記関連性閾値を満たす項目の数が最小数を満たすか否かを決定することと、
前記一致する項目の中から、前記関連性閾値を満たすまたは超えると決定された一致する項目のみを有する表示を生成することと
を含む、方法。
【請求項２】
前記検索基準は、キーワードを含み、
前記検索基準に一致する各項目は、複数の単語を含み、
前記関連性閾値は、前記項目の中で前記キーワードに一致する単語の数の定義された割合を含む、請求項１に記載の方法。
【請求項３】
前記双方向メディアガイダンスアプリケーションのユーザのための個人化データに基づいて、前記関連性閾値を決定することをさらに含む、請求項１に記載の方法。
【請求項４】
前記方法は、明示されたユーザメディア選好から前記ユーザ個人化データを生成することをさらに含む、請求項３に記載の方法。
【請求項５】
前記方法は、前記双方向メディアガイダンスアプリケーションとのユーザ対話を監視することによって、前記ユーザ個人化データを生成することをさらに含む、請求項３に記載の方法。
【請求項６】
前記関連性閾値を満たす項目の数が最小数未満であると決定することと、
前記関連性閾値を満たす項目の数が前記最小数未満であるという決定に応答して、前記関連性閾値を満たす項目の数が前記最小数を満たすまで前記関連性閾値を段階的に下げることと
をさらに含む、請求項１に記載の方法。
【請求項７】
時刻に基づいて、複数の関連性閾値から前記関連性閾値を選択することをさらに含み、前記複数の関連性閾値の各々は、異なる時刻に関連付けられている、請求項１に記載の方法。
【請求項８】
前記表示を生成することは、前記表示における前記項目を関連性によって順序付けすることを含む、請求項１に記載の方法。
【請求項９】
前記関連性閾値は、双方向メディアガイダンスアプリケーションのプログラミング命令において定義されている、請求項１に記載の方法。
【請求項１０】
前記関連性閾値は、双方向メディアガイダンスアプリケーションによって受け取られるデータにおいて特定されている、請求項１に記載の方法。
【請求項１１】
検索される項目は、番組タイトル、番組一覧、番組内容、または、番組の場面を記述するメタデータにおける単語である、請求項１に記載の方法。
【請求項１２】
前記検索基準は、ユーザから受け取られる、請求項１に記載の方法。
【請求項１３】
前記検索基準は、前記双方向メディアガイダンスアプリケーションのユーザのための個人化データに基づいて、前記双方向メディアガイダンスアプリケーションによって生成される、請求項１に記載の方法。
【請求項１４】
前記表示を生成することは、テキスト、グラフィック、または、映像を使用して、前記項目を表すことを含む、請求項１に記載の方法。
【請求項１５】
前記表示を生成することは、リスト、グラフィックモザイク、または、映像モザイクとして表示される前記表示された項目を有する前記表示を生成することを含む、請求項１に記載の方法。
【請求項１６】
前記双方向メディアガイダンスアプリケーションは、双方向テレビ番組ガイドである、請求項１に記載の方法。
【請求項１７】
双方向テレビ番組ガイドにおいて検索結果を限定するための方法であって、
ユーザ入力インターフェースを使用して、ユーザによる検索基準入力を受け取ることと、
前記検索基準に一致する番組を求めて、番組ガイドデータベースを検索することと、
前記一致する番組のどれが、前記ユーザに関連し得るかを決定することと、
前記関連する結果のみを有する検索結果表示を生成することと
を含む、方法。
【請求項１８】
関連性に基づいて検索結果を限定するための双方向メディアガイダンスシステムであって、前記システムは、処理回路を備え、
前記処理回路は、
検索基準に一致する項目を求めて、メディアガイダンスアプリケーションデータのデータベースを検索することと、
前記検索基準に一致する項目が、関連性閾値を満たすか否かを決定することと、
前記関連性閾値を満たす項目の数が最小数を満たすか否かを決定することと、
前記一致する項目の中から、前記関連性閾値を満たすまたは超えると決定された一致する項目のみを含む表示を生成することと
を行うように構成されている、双方向メディアガイダンスシステム。
【請求項１９】
前記検索基準は、キーワードを含み、
前記検索基準に一致する各項目は、複数の単語を含み、
前記関連性閾値は、前記項目の中で前記キーワードに一致する単語の数の定義された割合を含む、請求項１８に記載のシステム。
【請求項２０】
前記処理回路は、前記双方向メディアガイダンスアプリケーションのユーザのための個人化データに基づいて、前記関連性閾値を決定するようにさらに構成されている、請求項１８に記載のシステム。
【請求項２１】
前記処理回路は、明示されたユーザメディア選好から前記ユーザ個人化データを生成するようにさらに構成されている、請求項２０に記載のシステム。
【請求項２２】
前記処理回路は、前記双方向メディアガイダンスアプリケーションとのユーザ対話を監視することによって、前記ユーザ個人化データを生成するようにさらに構成されている、請求項２０に記載のシステム。
【請求項２３】
前記処理回路は、
前記関連性閾値を満たす項目の数が最小数未満であると決定することと、
前記関連性閾値を満たす項目の数が前記最小数未満であるという決定に応答して、前記関連性閾値を満たす項目の数が前記最小数を満たすまで前記関連性閾値を段階的に下げることと
を行うようにさらに構成されている、請求項１８に記載のシステム。
【請求項２４】
前記処理回路は、時刻に基づいて、複数の関連性閾値から前記関連性閾値を選択するようにさらに構成されており、前記複数の関連性閾値の各々は、異なる時刻に関連付けられている、請求項１８に記載のシステム。
【請求項２５】
前記処理回路は、前記表示の前記一致する項目を関連性によって順序付けるようにさらに構成されている、請求項１８に記載のシステム。
【請求項２６】
前記関連性閾値は、前記処理回路において少なくとも部分的に実装される双方向メディアガイダンスアプリケーションのプログラミング命令において定義されている、請求項１８に記載のシステム。
【請求項２７】
前記関連性閾値は、前記処理回路によって受け取られるデータにおいて特定されている、請求項１８に記載のシステム。
【請求項２８】
検索される項目は、番組タイトル、番組一覧、番組内容、または、番組の場面を記述するメタデータにおける単語である、請求項１８に記載のシステム。
【請求項２９】
前記検索基準は、ユーザ入力インターフェース機器から、前記処理回路によって受け取られる、請求項１８に記載のシステム。
【請求項３０】
前記検索基準は、前記双方向メディアガイダンスアプリケーションのユーザのための個人化データに基づいて、前記処理回路によって生成される、請求項１８に記載のシステム。
【請求項３１】
前記処理回路は、テキスト、グラフィック、または、映像を使用して、前記表示された項目を表すようにさらに構成されている、請求項１８に記載のシステム。
【請求項３２】
前記処理回路は、リスト、グラフィックモザイク、または、映像モザイクとして表示される前記表示された項目を有する前記表示を生成するようにさらに構成されている、請求項１８に記載のシステム。
【請求項３３】
前記処理回路において少なくとも部分的に実装される双方向テレビ番組ガイドをさらに備え、前記番組ガイドは、前記処理回路を構成するためのプログラミング論理を含む、請求項１８に記載のシステム。
【請求項３４】
双方向テレビ番組ガイドシステムであって、前記システムは、処理回路を備え、
前記処理回路は、
ユーザ入力機器を使用して、ユーザによる検索基準入力を受け取ることと、
前記検索基準に一致する番組を求めて、番組ガイドデータベースを検索することと、
前記一致する番組のどれが、前記ユーザに関連し得るかを決定することと、
前記関連する結果のみを含む検索結果表示を生成することと
を行うように構成されている、双方向テレビ番組ガイドシステム。